【手続補正書】
【提出日】平成17年4月18日(2005.4.18)
【手続補正１】
【補正対象書類名】明細書
【補正対象項目名】発明の名称
【補正方法】変更
【補正の内容】
【発明の名称】無線通信装置、無線通信装置の制御方法、無線通信装置の制御方法のプログラム及び無線通信装置の制御方法のプログラムを記録した記録媒体
【手続補正２】
【補正対象書類名】明細書
【補正対象項目名】特許請求の範囲
【補正方法】変更
【補正の内容】
【特許請求の範囲】
【請求項１】
複数の無線通信手段と、前記複数の無線通信手段を制御する制御手段とを有する無線通信装置において、
前記制御手段は、
少なくとも使用が許される前記無線通信手段をアプリケーションプログラム毎に記述した通信管理テーブルに基づいて、アプリケーションプログラムからの要求により、対応する無線通信手段を用いてデータを送受する
ことを特徴とする無線通信装置。
【請求項２】
前記通信管理テーブルにおける使用が許される無線通信手段は、
ユーザーにより使用が許可された無線通信手段である
ことを特徴とする請求項１に記載の無線通信装置。
【請求項３】
前記通信管理テーブルは、
１つのアプリケーションプログラムに対して使用が許される無線通信手段が複数存在する場合には、優先順位が設定され、
前記制御手段は、
前記優先順位に従って、対応する無線通信手段を用いてデータを送受する
ことを特徴とする請求項１に記載の無線通信装置。
【請求項４】
前記使用が許される無線通信手段によるデータの送受が可能か検出する検出手段を有し、
前記制御手段は、
前記検出手段による検出結果に基づいて、前記通信管理テーブルを更新する
ことを特徴とする請求項１に記載の無線通信装置。
【請求項５】
前記制御手段は、
前記通信管理テーブルの更新に応じて、データの送受に使用する前記無線通信手段を切り換える
ことを特徴とする請求項４に記載の無線通信装置。
【請求項６】
前記通信管理テーブルは、
同種のアプリケーションプログラムであって機能が異なるアプリケーションプログラムとの関連を示す情報、又は１つのアプリケーションプログラムの機能を制限する情報が、前記無線通信手段との対応により記録され、
前記制御手段は、
前記無線通信手段の切り換えにより、
前記関連を示す情報によりアプリケーションプログラムを切り換え、又は前記機能を制限する情報によりアプリケーションプログラムの機能を切り換える
ことを特徴とする請求項１に記載の無線通信装置。
【請求項７】
複数の無線通信手段を有する無線通信装置の制御方法において、
少なくとも使用が許される前記無線通信手段をアプリケーションプログラム毎に記述した通信管理テーブルに基づいて、アプリケーションプログラムからの要求により、対応する無線通信手段を用いてデータを送受する
ことを特徴とする無線通信装置の制御方法。
【請求項８】
複数の無線通信手段を有する無線通信装置の制御方法のプログラムにおいて、
少なくとも使用が許される前記無線通信手段をアプリケーションプログラム毎に記述した通信管理テーブルに基づいて、アプリケーションプログラムからの要求により、対応する無線通信手段を用いてデータを送受する
ことを特徴とする無線通信装置の制御方法のプログラム。
【請求項９】
複数の無線通信手段を有する無線通信装置の制御方法のプログラムを記録した記録媒体において、
前記制御方法は、
少なくとも使用が許される前記無線通信手段をアプリケーションプログラム毎に記述した通信管理テーブルに基づいて、アプリケーションプログラムからの要求により、対応する無線通信手段を用いてデータを送受する
ことを特徴とする無線通信装置の制御方法のプログラムを記録した記録媒体。
【手続補正３】
【補正対象書類名】明細書
【補正対象項目名】０００１
【補正方法】変更
【補正の内容】
【０００１】
【発明の属する技術分野】
本発明は、無線通信装置、無線通信装置の制御方法、無線通信装置の制御方法のプログラム及び無線通信装置の制御方法のプログラムを記録した記録媒体に関し、例えば複数の無線通信手段を有する携帯電話等に適用することができる。本発明は、少なくとも使用が許される無線通信手段をアプリケーションプログラム毎に記述した通信管理テーブルに基づいて、アプリケーションプログラムに応じて無線通信手段を選択的に使用することにより、複数の無線通信手段を利用可能な状況において、適切な無線通信手段をユーザーに提供することができるようにする。
【手続補正４】
【補正対象書類名】明細書
【補正対象項目名】０００７
【補正方法】変更
【補正の内容】
【０００７】
本発明は以上の点を考慮してなされたもので、複数の無線通信手段を利用可能な状況において、適切な無線通信手段をユーザーに提供することができる無線通信装置、無線通信装置の制御方法、無線通信装置の制御方法のプログラム及び無線通信装置の制御方法のプログラムを記録した記録媒体を提案しようとするものである。
【手続補正５】
【補正対象書類名】明細書
【補正対象項目名】０００８
【補正方法】変更
【補正の内容】
【０００８】
【課題を解決するための手段】
かかる課題を解決するため請求項１の発明は、複数の無線通信手段と、無線通信手段を制御する制御手段とを有する無線通信装置に適用して、制御手段は、少なくとも使用が許される無線通信手段をアプリケーションプログラム毎に記述した通信管理テーブルに基づいて、アプリケーションプログラムからの要求により、対応する無線通信手段を用いてデータを送受する。
【手続補正６】
【補正対象書類名】明細書
【補正対象項目名】０００９
【補正方法】変更
【補正の内容】
【０００９】
また請求項７の発明は、複数の無線通信手段を有する無線通信装置の制御方法に適用して、少なくとも使用が許される無線通信手段をアプリケーションプログラム毎に記述した通信管理テーブルに基づいて、アプリケーションプログラムからの要求により、対応する無線通信手段を用いてデータを送受する。
【手続補正７】
【補正対象書類名】明細書
【補正対象項目名】００１０
【補正方法】変更
【補正の内容】
【００１０】
また請求項８の発明は、複数の無線通信手段を有する無線通信装置の制御方法のプログラムに適用して、少なくとも使用が許される無線通信手段をアプリケーションプログラム毎に記述した通信管理テーブルに基づいて、アプリケーションプログラムからの要求により、対応する無線通信手段を用いてデータを送受する。
【手続補正８】
【補正対象書類名】明細書
【補正対象項目名】００１１
【補正方法】変更
【補正の内容】
【００１１】
また請求項９の発明は、複数の無線通信手段を有する無線通信装置の制御方法のプログラムを記録した記録媒体に適用して、制御方法は、少なくとも使用が許される無線通信手段をアプリケーションプログラム毎に記述した通信管理テーブルに基づいて、アプリケーションプログラムからの要求により、対応する無線通信手段を用いてデータを送受する。
【手続補正９】
【補正対象書類名】明細書
【補正対象項目名】００１２
【補正方法】変更
【補正の内容】
【００１２】
請求項１の構成によれば、少なくとも使用が許される無線通信手段をアプリケーションプログラム毎に記述した通信管理テーブルに基づいて、アプリケーションプログラムからの要求により、対応する無線通信手段を用いてデータを送受することにより、アプリケーションプログラム毎に、対応する無線通信手段を用いてデータを送受することができる。これによりこの通信管理テーブルに従って、複数の無線通信手段を利用可能な状況において、適切な無線通信手段をユーザーに提供することができる。
【手続補正１０】
【補正対象書類名】明細書
【補正対象項目名】００１３
【補正方法】変更
【補正の内容】
【００１３】
これにより請求項７、請求項８、請求項９の構成によれば、複数の無線通信手段を利用可能な状況において、適切な無線通信手段をユーザーに提供することができる無線通信装置の制御方法、無線通信装置の制御方法のプログラム、無線通信装置の制御方法のプログラムを記録した記録媒体を提供することができる。
【手続補正１１】
【補正対象書類名】明細書
【補正対象項目名】００１５
【補正方法】変更
【補正の内容】
【００１５】
（１）第１の実施の形態
（１−１）第１の実施の形態の構成
図１は、本発明の第１の実施の形態に係る無線通信装置である携帯情報端末装置を示すブロック図である。この携帯情報端末装置は、無線ＬＡＮに接続可能な携帯電話であり、ユーザーによる操作子の操作に応動して対応するアプリケーションプログラム２Ａ〜２Ｎが立ち上げられ、各アプリケーションプログラム（ＡＰ）２Ａ〜２Ｎにより種々の処理を実行して必要に応じてセルラー網、無線ＬＡＮに接続するようになされている。
【手続補正１２】
【補正対象書類名】明細書
【補正対象項目名】００２０
【補正方法】変更
【補正の内容】
【００２０】
各アプリケーションプログラム２Ａ〜２Ｎは、オペレーションシステムにより構成される中央制御部１２により、入出力手段１０を介して検出されるユーザーの操作に応じて立ち上げられ、入出力手段１０で検出される各種ユーザーによる各種操作に応動して所定の処理手順を実行する。
【手続補正１３】
【補正対象書類名】明細書
【補正対象項目名】００２１
【補正方法】変更
【補正の内容】
【００２１】
この携帯情報端末１を携帯電話として機能されるアプリケーションプログラムにおいては、この一連の処理により、通信管理部１６を介してユーザーの所望する通話対象との間で接続を確立し、送受信バッファ１３を介して通話対象との間で音声データを送受し、またこの音声データを入出力手段１０との間で入出力する。ここでこの通信管理部１６は、通信管理プログラムを実行する演算処理部（図示せず）、送受信バッファ１３、使用システム決定部２０、アプリケーション判定部１８、及び通信管理テーブル１７からなる。
【手続補正１４】
【補正対象書類名】明細書
【補正対象項目名】００２２
【補正方法】変更
【補正の内容】
【００２２】
またブラウザソフトにおいては、同様に、通信管理部１６を介して、所定のＵＲＬへアクセスし、このＵＲＬによるホームページから得られる各種データを送受信バッファ１３を介して受信し、入出力手段１０で表示し、また音声データについては入出力手段１０より出力する。
【手続補正１５】
【補正対象書類名】明細書
【補正対象項目名】００２３
【補正方法】変更
【補正の内容】
【００２３】
またメールソフトにおいては、入出力手段１０を介して、ユーザーにより電子メールの入力を受け付ける。またメールソフトは、通信管理部１６によりメールサーバにアクセスし、送受信バッファ１３を介して、電子メールをメールサーバに送信する。また同様にして、送受信バッファ１３を介して、メールサーバに保持した電子メールを取得した後、入出力手段１０に表示する。かくするにつき、送受信バッファ１３は、このような各種アプリケーションプログラムにより発生するデータ、処理に係るデータを一時保持するバッファメモリである。
【手続補正１６】
【補正対象書類名】明細書
【補正対象項目名】００２４
【補正方法】変更
【補正の内容】
【００２４】
ここでこの通信管理部１６に係る通信管理プログラムは、この携帯情報端末１に事前にインストールされた制御プログラムであり、セルラーに係る通信制御プログラム、無線ＬＡＮに係る通信制御プログラムの動作を管理するプログラムである。通信管理部１６は、アプリケーションプログラム２Ａ〜２Ｎからの要求により、通信管理テーブル１７に基づいて、セルラーに係る通信制御プログラム、無線ＬＡＮに係る通信制御プログラムを選択的に動作させることにより、対応する無線通信手段によりデータを送受する。
【手続補正１７】
【補正対象書類名】明細書
【補正対象項目名】００２５
【補正方法】変更
【補正の内容】
【００２５】
ここで通信管理テーブル１７は、図２に示すように、使用が許される無線通信手段をアプリケーションプログラム毎に記述したテーブルであり、１つのアプリケーションプログラムにおいて使用が許される無線通信手段が複数存在する場合には、優先順位が設定されるようになされている。通信管理テーブル１７は、この通信管理部１６におけるユーザーの設定により作成されるようになされている。
【手続補正１８】
【補正対象書類名】明細書
【補正対象項目名】００２６
【補正方法】変更
【補正の内容】
【００２６】
この図２において、通信管理テーブル１７は、携帯情報端末１を携帯電話として機能させるアプリケーションプログラムにおいては（電話により示す）、セルラーに係る無線通信手段を使用するように、またブラウザソフトにおいては（ＷＥＢアクセスにより示す）、無線ＬＡＮに係る無線通信手段を使用するように、設定されるようになされている。またメールソフトにおいては（電子メール送受信による示す）、セルラーに係る無線通信手段、無線ＬＡＮに係る無線通信手段の何れをも使用するように設定され、さらにこれらの無線通信手段のうちセルラーに係る無線通信手段を優先して使用するように優先順位が設定されるようになされている。
【手続補正１９】
【補正対象書類名】明細書
【補正対象項目名】００２７
【補正方法】変更
【補正の内容】
【００２７】
通信管理部１６は、アプリケーションプログラムからの要求により、この要求のあったアプリケーションプログラムを認識し、この通信管理テーブル１７により対応する無線通信手段を選択する。さらにこの選択結果により対応する通信制御プログラムをデータの送受を可能とするために起動する。これによりこの情報携帯端末１においては、この通信管理プログラムを実行する演算処理部により、要求に係るアプリケーションプログラムを検出するアプリケーション判定部１８を構成するようになされている。また同様に、この通信管理プログラムを実行する演算処理部により、このアプリケーション判定部１８による判定結果に基づいて、通信管理テーブル１７により無線通信手段を選択し、対応する無線通信手段をデータの送受を可能とするために起動する。使用システム決定部２０が、送受信バッファ１３とこの対応する無線通信手段との間でデータを送受する際に使用するシステムを決定する。
【手続補正２０】
【補正対象書類名】明細書
【補正対象項目名】００２８
【補正方法】変更
【補正の内容】
【００２８】
通信管理部１６は、このようにして選択した無線通信手段が利用困難な場合、優先順位の設定に従って優先順位の低い無線通信手段を起動する。因みに、このような利用困難な場合にあっては、例えばセルラー網が完備されていない地域にユーザーが移動した場合等であり、通信管理部１６は、対応する通信制御プログラムからの通知により、対応する無線通信手段が利用困難か否か判断する。これに対して通信制御プログラムにおいては、いわゆる待機状態における制御チャンネルを利用した呼びかけに対する応答の検出等により、利用可能な否か、通信管理部１６に通知する。
【手続補正２１】
【補正対象書類名】明細書
【補正対象項目名】００２９
【補正方法】変更
【補正の内容】
【００２９】
図３は、この通信管理部１６に係る通信処理プログラムを実行する演算処理部の処理手順を示すフローチャートである。演算処理部は、アプリケーションプログラムから要求が得られると、ステップＳＰ１からステップＳＰ２に移り、アプリケーション判定部１８の機能により要求のあったアプリケーションプログラムを検出し、この検出結果より通信管理テーブル１７を検索する。これにより演算処理部は、このアプリケーションプログラムについて使用が許された無線通信手段を検出する。
【手続補正２２】
【補正対象書類名】明細書
【補正対象項目名】００４５
【補正方法】変更
【補正の内容】
【００４５】
（２）第２の実施の形態
図４は、本発明の第２の実施の形態に係る無線通信装置である携帯情報端末を示すブロック図である。この携帯情報端末３１において、図１について上述した携帯情報端末１と同一の構成は、対応する符号を付して示し、重複した説明は省略する。
【手続補正２３】
【補正対象書類名】明細書
【補正対象項目名】００４６
【補正方法】変更
【補正の内容】
【００４６】
この携帯情報端末３１において、通信管理部３６は、第１の実施の形態の場合と同様に、通信管理テーブル３７に基づいて、アプリケーションプログラムからの要求により対応する無線通信手段を用いてデータを送受する。この処理において、通信管理部３６は、検出部３９により、無線通信手段によるデータの送受が可能か否か検出し、この検出結果に基づいて、通信管理テーブルを適宜更新する。これによりこの実施の形態において、通信管理テーブル３７には、使用が許される無線通信手段として、データの送受が可能な無線通信手段を記録するようになされている。
【手続補正２４】
【補正対象書類名】明細書
【補正対象項目名】００５０
【補正方法】変更
【補正の内容】
【００５０】
通信管理部３６は、現在使用中の無線通信手段について、このように通信管理テーブル１７が更新されると、この通信管理テーブル１７の更新に応じて、データの送受に使用する無線通信手段を切り換え、これによりデータ通信途中における接続断を有効に回避する。
【手続補正２５】
【補正対象書類名】明細書
【補正対象項目名】００５３
【補正方法】変更
【補正の内容】
【００５３】
（３）第３の実施の形態
図７は、本発明の第３の実施の形態に係る無線通信装置である携帯情報端末を示すブロック図である。この携帯情報端末６１において、図１について上述した携帯情報端末１と同一の構成は、対応する符号を付して示し、重複した説明は省略する。
【手続補正２６】
【補正対象書類名】明細書
【補正対象項目名】００５６
【補正方法】変更
【補正の内容】
【００５６】
この携帯情報端末６１の通信管理部６６において、通信管理テーブル６７は、この携帯情報端末６１に搭載されたアプリケーションプログラムのうちで、同種のアプリケーションプログラムであって機能が異なるアプリケーションプログラムとの関連を示す情報と、１つのアプリケーションプログラムの機能を制限する情報とが無線通信手段との対応により記録される。通信管理部６６は、無線通信手段の切り換えにより、この関連を示す情報によりアプリケーションプログラムを切り換え、又は機能を制限する情報によりアプリケーションプログラムの機能を切り換えるようになされている。
【手続補正２７】
【補正対象書類名】明細書
【補正対象項目名】００６２
【補正方法】変更
【補正の内容】
【００６２】
図８は、携帯電話に係る無線通信手段について、他の無線通信手段への切り換え時のこれらの情報を示す図表である。この場合、電話において、ＰＨＳに係る無線通信手段及び無線ＬＡＮに係る無線通信手段に切り換える場合、携帯電話に係る無線通信手段において再送要求が頻発し、強制的に回線が切断されそうな場合が切り換えの条件として各無線通信手段の欄に記述され（強制切断時）、ＰＨＳに係る無線通信手段に切り換える場合には、このＰＨＳ側の欄に、電話の機能は維持する旨（電話）、記録されるようになされている。また無線ＬＡＮに切り換える場合には、音声を添付ファイルとして送受するいわゆるボイスメールによる電子メールに機能を切り換える旨、無線ＬＡＮ側の欄に記録されるようになされている。なおこのようにボイスメールによる場合、携帯電話のアプリケーションプログラムがボイスメールの機能を有している場合には、これによりこのアプリケーションプログラムの機能を制限することになる。これに対してこの携帯電話のアプリケーションプログラムがボイスメールの機能を有していない場合、ボイスメールの機能を有するメーラー、関連するアプリケーションプログラムを立ち上げることになる。
【手続補正２８】
【補正対象書類名】明細書
【補正対象項目名】００６３
【補正方法】変更
【補正の内容】
【００６３】
これに対して電子メールの送受については、それぞれ無線ＬＡＮ及びＰＨＳによるデータ通信が可能となった場合に切り換える旨（検出時の記述である）、無線ＬＡＮ及びＰＨＳの欄に切り換えの条件として記述される。それぞれ電子メールの送受信機能を維持したまま、すなわちアプリケーションプログラムがそのままの状態で切り換える旨、さらには無線ＬＡＮ側に優先して切り換える旨、各欄が記録されるようになされている。
【手続補正２９】
【補正対象書類名】明細書
【補正対象項目名】００６４
【補正方法】変更
【補正の内容】
【００６４】
またテレビ電話のアプリケーションについては、それぞれ無線ＬＡＮ及びＰＨＳによるデータ通信が可能となった場合に切り換える旨、無線ＬＡＮ及びＰＨＳの欄に記述され、ＰＨＳへの切り換えにおいては、テレビ電話から音声のみによる通話（電話の記述である）への切り換えが記録され、無線ＬＡＮへの切り換えにおいては、テレビ電話の機能を維持する旨、記録されるようになされている。
【手続補正３０】
【補正対象書類名】明細書
【補正対象項目名】００６７
【補正方法】変更
【補正の内容】
【００６７】
これにより通信管理部６６は、１つの無線通信手段によるデータ交換している場合でも、このデータ交換に係る無線通信手段の通信制御プログラム、他の無線通信手段の通信制御プログラムとの間のデータ交換により、これら無線通信手段の状態を監視し、適宜、通信管理テーブル６７の記録に従って無線通信手段を切り換える。またこの切り換えに応じて、通信管理テーブル６７の記録に従って、アプリケーションプログラムの機能を制限し、また他のアプリケーションプログラムを立ち上げる。
【手続補正３１】
【補正対象書類名】明細書
【補正対象項目名】００６８
【補正方法】変更
【補正の内容】
【００６８】
すなわち図１０は、優先順位の低い側への切り換え時におけるこの通信管理プログラムを実行する演算処理部の処理手順を示すフローチャートである。なお以下に説明する優先順位とは、データ転送速度の多少による順位である。演算処理部は、一定の時間間隔で、この処理手順を実行する。演算処理部は、この処理手順を開始するとステップＳＰ１１からステップＳＰ１２に移り、アプリケーションプログラムにより何れかの無線通信手段が使用中か否か判断し、ここで否定結果が得られると、ステップＳＰ１３に移り、この処理手順を終了する。
【手続補正３２】
【補正対象書類名】明細書
【補正対象項目名】００７１
【補正方法】変更
【補正の内容】
【００７１】
これに対して図１１は、優先順位の高い側への切り換え時におけるこの通信管理プログラムを実行する演算処理部の処理手順を示すフローチャートである。演算処理部は、一定の時間間隔で、この処理手順を実行する。すなわち演算処理部は、ステップＳＰ２１からステップＳＰ２２に移り、アプリケーションプログラムにより何れかの無線通信手段が使用中か否か判断し、ここで否定結果が得られると、ステップＳＰ２３に移り、この処理手順を終了する。
【手続補正３３】
【補正対象書類名】明細書
【補正対象項目名】００７２
【補正方法】変更
【補正の内容】
【００７２】
これに対してステップＳＰ２２で肯定結果が得られると、ステップＳＰ２２からステップＳＰ２４に移る。ここで演算処理部は、優先順位が高い側で、他に使用可能な無線通信手段が存在するか否か判断する。なおここでこの判断においては、他の通信制御プログラムからの応答により判断する。ここで否定結果が得られると、演算処理部は、ステップＳＰ２４からステップＳＰ２３に移り、この処理手順を終了する。これに対してステップＳＰ２４で肯定結果が得られると、演算処理部は、ステップＳＰ２４からステップＳＰ２５に移る。ここで演算処理部は、通信管理テーブルの記述に従って、無線通信手段を切り換えると共に、アプリケーションプログラムの機能を制限し、また他のアプリケーションプログラムを立ち上げ、ステップＳＰ２３に移ってこの処理手順を終了する。
【手続補正３４】
【補正対象書類名】明細書
【補正対象項目名】図面の簡単な説明
【補正方法】変更
【補正の内容】
【図面の簡単な説明】
【図１】
本発明の第１の実施の形態に係る携帯情報端末を示すブロック図である。
【図２】
図１の携帯情報端末における通信管理テーブルを示す図表である。
【図３】
図１の携帯情報端末における演算処理部の処理手順を示すフローチャートである。
【図４】
本発明の第２の実施の形態に係る携帯情報端末を示すブロック図である。
【図５】
移動速度が早い場合におけるセルラー網と無線ＬＡＮとの関係を示す略線図である。
【図６】
図５との対比により、移動速度が遅い場合におけるセルラー網と無線ＬＡＮとの関係を示す略線図である。
【図７】
本発明の第３の実施の形態に係る携帯情報端末を示すブロック図である。
【図８】
図７の携帯情報端末における通信管理テーブルにおいて、携帯電話による通信手段からの切り換えの情報を示す図表である。
【図９】
図７の携帯情報端末における通信管理テーブルにおいて、無線ＬＡＮによる通信手段からの切り換えの情報を示す図表である。
【図１０】
図７の携帯情報端末における演算処理部の処理手順を示すフローチャートである。
【図１１】
図７の携帯情報端末における演算処理部の優先順位が高い側への切り換えの処理手順を示すフローチャートである。
【符号の説明】
１、３１、６１……携帯情報端末、２Ａ〜２Ｎ……アプリケーションプログラム、３、６、６２、６４……送受信機、４、７、６３、６５……信号処理部、１６、３６、６６……通信管理部、１７、３７、６７……通信管理テーブル
【手続補正３５】
【補正対象書類名】図面
【補正対象項目名】図２
【補正方法】変更
【補正の内容】
【図２】
2003338856.tif 000001